(57)【要約】【課題】入力機器を共有化し、サーバー機器の画面でコンテンツが表示されている際に、サーバー機器のコンテンツファイルを再生機器の画面上にドラッグアンドドロップすることで、再生機器でコンテンツを再検索することなくコンテンツの再生を開始することができる。【解決手段】サーバー機器の入力装置共有部は、サーバー機器の入力部がコンテンツをドラッグ操作した場合においてコンテンツを指示するマウスカーソルがサーバー機器の表示部の表示範囲外にあると判断した場合に、マウスカーソルの位置情報を再生機器の入力装置共有部に出力し、再生機器の入力装置共有部は、再生機器の入力部がコンテンツをドロップ操作した場合にコンテンツの再生の可否判定を行い、再生可と判定した場合のみコンテンツを受付部で受信して再生させる。【選択図】図３
2011145739.tif 000002
【特許請求の範囲】
【請求項１】
入力機器を共有するサーバー機器と再生機器からなるコンテンツ再生システムであって、
前記サーバー機器は、
コンテンツを表示する第１表示部と、
前記入力機器からの入力に応じて、前記第１表示部の対応する位置にマウスカーソルを表示させる第１入力部と、
前記コンテンツ及び前記位置情報を記憶する第１記憶部と、
前記位置情報に応じて、前記マウスカーソルが前記第１表示部の表示範囲外にあるか否かを判断する第１入力装置共有部と、
前記コンテンツを送信する送信部と、を備え、
前記再生機器は、
前記コンテンツを表示する第２表示部と、
前記第１入力装置共有部と前記位置情報を共有する第２入力装置共有部と、
共有された前記位置情報に応じて、前記第２表示部の対応する位置にマウスカーソルを表示させる第２入力部と、
前記第２入力部が表示するマウスカーソルの位置情報を記憶する第２記憶部と、
前記コンテンツを受信する受付部と、を備え、
前記第１入力装置共有部は、前記第１入力部が前記コンテンツをドラッグ操作した場合において前記コンテンツを指示するマウスカーソルが前記第１表示部の表示範囲外にあると判断した場合に、マウスカーソルの前記位置情報を前記第２入力装置共有部に出力し、
前記第２入力装置共有部は、前記第２入力部が前記コンテンツをドロップ操作した場合に前記コンテンツの再生の可否判定を行い、再生可と判定した場合のみ前記コンテンツを前記受付部で受信して再生させる、ことを特徴とするコンテンツ再生システム。
【請求項２】
前記第２入力装置共有部は、前記第２入力部が前記コンテンツをドラック操作中において前記コンテンツの再生の可否判定を行う、再生可と判定した場合のみ前記コンテンツを前記受付部で受信して再生させる、ことを特徴とする請求項１に記載のコンテンツ再生システム。
【請求項３】
前記コンテンツは、単一コンテンツファイル、複数コンテンツファイル、またはフォルダーであることを特徴とする請求項１に記載のコンテンツ再生システム。
【発明の詳細な説明】
【技術分野】
【０００１】
本発明は、再生システムに関し、更に詳しくは、２台以上の機器の間でコンテンツの再生を指示する場合に、入力機器を共用するコンテンツ再生システムに関する。
【背景技術】
【０００２】
ＤＬＮＡ（Ｄｉｇｉｔａｌ  Ｌｉｖｉｎｇ  Ｎｅｔｗｏｒｋ  Ａｌｌｉａｎｃｅ）などのネットワーク経由でコンテンツを再生する方法は、ユーザーが視聴している画面に、離れた場所に設置されたコンテンツサーバーのコンテンツを再生して表示させるために開発された。複数のコンピュータ機器を同時に操作するには、それぞれの端末に対してそれぞれの入力機器を接続するのが通常であるが、ネットワークでそれぞれのコンピュータ機器を接続し、特定の通信プロトコルで入力装置の情報をやり取りし、一組の入力機器で複数のコンピュータ機器を操作する技術が可能になった。（例えば、特許文献１参照）。
【先行技術文献】
【特許文献】
【０００３】
【特許文献１】特開２０００−１２２８０６号公報
【発明の概要】
【発明が解決しようとする課題】
【０００４】
しかしながら、上記特許文献１記載のシステムでは、一組の入力機器でそれぞれのコンピュータ機器が操作できるが、機器間にまたがるのでコンテンツの共有化の操作性の改善は行われていないという問題があった。
つまり、それぞれのディスプレイに表示されたコンテンツを別のディスプレイ上で再生させるには、コンテンツを再生する側のコンピュータ機器上のアプリケーションで相手側のコンピュータ機器のコンテンツを探し出して再生させるしか方法がなく、目の前にあるコンテンツを簡単に再生させることができないという問題があった。
【課題を解決するための手段】
【０００５】
上記の課題を解決するために、本発明のコンテンツ再生システムは、入力機器を共有した状態の２つの機器間でコンテンツが存在する側の機器の第１画面上にコンテンツがＧＵＩで表示されている状態において、コンテンツを第１画面から第２画面へドラッグアンドドロップできるようにし、さらに、ドロップされたコンテンツを自動で判別し再生可能である場合には再生を開始する。
【発明の効果】
【０００６】
本発明によれば、異なる機器間での再生指示操作が大幅に簡単になる。つまり、コンテンツが存在する側の機器の第１画面と移動先の機器の第２画面の間でドラッグアンドドロップ操作を行うだけで、コンテンツの再生が開始され、コンテンツを探し出す手間がなくなる分、操作が大幅に簡便になる。
【図面の簡単な説明】
【０００７】
【図１】本発明の実施の形態１におけるコンテンツ再生システムの構成を示すブロック図
【図２】同実施の形態におけるコンテンツ再生方法を示すフローチャート
【図３】同実施の形態におけるコンテンツ再生装置の操作画面の一例を示す図
【図４】同実施の形態におけるコンテンツ再生装置の操作画面の一例を示す図
【図５】同実施の形態におけるコンテンツ再生装置の操作画面の一例を示す図
【発明を実施するための形態】
【０００８】
本発明のコンテンツ再生システムの実施形態について図面を参照して説明する。なお、実施の形態において同じ符号を付した構成要素が同様の動作を行う場合には、再度の説明を省略する場合がある。
【０００９】
（実施の形態１）
本発明のコンテンツ再生システムの構成の一例を図１に示す。図１において、本発明のコンテンツ再生システムは、再生機器２０とサーバー機器２１から構成される。
【００１０】
再生機器２０は、ＣＰＵ１と、ＲＯＭ２と、入力装置共有部３と、入力部４と、表示部５と、ＲＡＭ６と、コンテンツ受付部７と、通信部８から構成される。
【００１１】
サーバー機器２１は、ＣＰＵ１１と、ＲＯＭ１２と、入力装置共有部１３と、入力部１４と、表示部１５と、ＲＡＭ１６と、コンテンツ送信部１７と、通信部１８から構成される。
【００１２】
本発明のコンテンツ再生システムの処理は、プログラムの処理手順により実現することができる。図２は、本発明のコンテンツ再生方法の概略を示すフローチャートである。本発明のコンテンツ再生方法は、サーバー機器２１がユーザー操作指示待ち状態において（ステップＳ１０）、操作指示を受け付けた場合にファイルドラッグであるかどうかの判定を行い（ステップＳ１１）、ファイルドラッグである場合は（ステップＳ１１で「Ｙｅｓ」）再生機器２０でファイルドロップかどうかの判定に進む（ステップＳ１２）。再生機器２０でファイルドロップが確認された場合には（ステップＳ１２で「Ｙｅｓ」）、ファイル種類の判定（ステップＳ１３）に進む。ファイルの種類が再生機器２０で再生可能であれば、ファイル再生処理（ステップＳ１４）に進む。
【００１３】
次に図３、図４を用いて、本発明のコンテンツ再生方法の詳細を説明する。サーバー機器２１上にあるコンテンツファイルは、記憶部であるＲＯＭ１２に記憶されている。ユーザー操作によりサーバー機器２１の表示部１５（図３における１０２）に表示されたＧＵＩの中に、ファイルコンテンツを示すファイルアイコン１０５が表示される。マウスカーソル１０７はサーバー機器２１に接続された入力部１３（図３における１０３）の操作によって移動可能な状態にあり、表示部１５の表示エリアを越えて操作された場合、入力装置共有部１３において、マウスカーソル１０７の最終位置が再生機器２０に移動すべき座標と検知された場合は、サーバー機器２１の通信部１８と再生機器２０の通信部８を通じて、再生機器２０側の入力装置共有部３と通信を行う。その結果、マウスカーソル１０７の表示は消え、再生機器２０の表示部５に、マウスカーソル１０８として表示される。機器の位置関係はそれぞれの記憶部であるＲＯＭ２、ＲＯＭ１２に保存されている。その後、マウスカーソル１０８の座標は、マウス１０３の操作の結果が入力装置共有部１３と入力装置共有部３を用いて共有され、表示部５の上でマウスカーソル１０８を移動させることが可能となる。
【００１４】
今回のコンテンツ再生方法の場合、マウスカーソル１０７が表示部１５の画面の外に移動する際には、ファイルアイコン１０５をドラッグ操作を行うことになり、マウスカーソル１０７が表示部１５の画面の外に出る際に、入力装置共有部１３と入力装置共有部３の間でファイルの情報もやり取りされる。ドラッグ中であるという情報を元に入力装置共有部３は表示部５の画面にマウスカーソル１０８を表示すると共にファイルアイコン１０６を表示する。
【００１５】
この状態から、マウス１０３のボタンを放す操作により、ファイルが表示部５の画面上のＧＵＩにおいて、ファイルアイコン１０６のドロップ操作が完了する。ファイルアイコン１０６のドロップ操作が行われた時点で、再生の判定行い、再生が不可能であった場合には図４のファイル判定表示１０９を行う。なお、ファイルドラッグ中に再生の判定を行い、ファイル判定表示１０９を表示しても問題ない。再生の判定の結果問題なく再生できる場合には、表示部５においてサーバー機器２１内に納められたコンテンツをコンテンツ送信部１７を用いて、通信部１８、通信部８を経由して、コンテンツ受付部７に送りコンテンツの再生を行う。
【００１６】
なお、図１における、サーバー機器２１と再生機器２０は一対一でなくても良い。それぞれはサーバー、再生側の区別されることなく同等の機能を持ち合わせてれば、双方の役割を持つことができる。
【００１７】
また、図１の各処理は、専用のハードウェア（専用回路）により実現可能である。ＲＯＭ２は書き換え可能ＲＯＭ等の不揮発性記録媒体が好適であるが、揮発性の記録媒体でも実現できる。また、ハードディスクや光ディスクなどのような記憶装置でも良い。
【００１８】
また、本発明は複数ファイルの指示、図５に示すようにフォルダーで指示することも同様に可能であり、その場合連続再生も可能である。
【００１９】
また、本発明は、以上の実施の形態に限定されることなく、実施の形態の構成、情報の内容や表現形式、フローチャートの手順について、種々の変更が可能であり、それらも本発明の範囲内に包含されるものであることは言うまでもない。
【産業上の利用可能性】
【００２０】
本発明によれば、家庭内において、複数機器にまたがるコンテンツ再生において、視聴者にとって簡便な操作でコンテンツ再生を行うことができ、入力装置を共有するＡＶ機器において有用である。
【符号の説明】
【００２１】
１、１１    ＣＰＵ
２、１２    ＲＯＭ
３、１３    入力装置共有部
４、１４    入力部
５、１５    表示部
６、１６    ＲＡＭ
７    コンテンツ受付部
８、１８    通信部
１７    コンテンツ送信部
２０、１０１    再生機器
２１、１０２    サーバー機器
１０３    入力機器（マウス）
１０４    入力機器（キーボード）
１０５、１０６    ファイルアイコン
１０７、１０８    マウスカーソル
１０９    ファイル判定表示
１１０、１１１    ファイルフォルダ
【図１】
2011145739.tif 000003
【図２】
2011145739.tif 000004
【図３】
2011145739.tif 000005
【図４】
2011145739.tif 000006
【図５】
2011145739.tif 000007